(57)【要約】【課題】バケットの複数個のアダプタとそれぞれに被嵌されたツースとの複数個の組み合わせそれぞれを、実質上同一の軸線で貫く貫通孔それぞれに保持ピンを挿脱し、ツースをアダプタに着脱を自在に取り付ける際の、保持ピンの取り付けおよび取り外しを容易に行なうことができ、また取扱いおよび保管が容易な、ツース着脱工具を提供する。【解決手段】ツース着脱工具が、一対のツースの上に差し渡される本体部と、本体部の略中間から一対のツースの間に伸びた突出部と、突出部の上記軸線の位置に軸線方向に延びて開口した凹穴とを備え、保持ピンの着脱に応じて、凹穴に保持ピンまたは棒状工具を保持した本体部一端を打撃し、保持ピンを貫通孔に取り付けあるいは貫通孔から取り外す。【選択図】図１
2006125083.tif 000002
【特許請求の範囲】
【請求項１】
バケットに隣接し突設された複数個のアダプタそれぞれにツースを被嵌し、アダプタとツースの複数組それぞれを実質上同一の軸線で貫く貫通孔の各々に保持ピンを挿脱しツースをアダプタに着脱自在に取り付けるバケットの、ツースを着脱する工具であって、
隣接する一対のツースの上に差し渡される真直に伸びた本体部と、
この本体部の伸びる方向の略中間から一対のツースの間に一体的に伸びた突出部と、
この突出部の上記軸線に相当する位置に軸線方向に延びて開口した凹穴と
を備え、
ツース取付時には、保持ピンの一端部を凹穴に挿入して保持し、他端部を該貫通孔の端に位置付け、本体部の一端を打撃し保持ピンを貫通孔に挿入することにより、ツースをアダプタに取り付け、
ツース取外時には、棒状の工具の一端部を凹穴に挿入して保持し、他端部を貫通孔に挿入された保持ピンの端に位置付け、本体部の一端を打撃し保持ピンを貫通孔から抜き出すことにより、ツースをアダプタから取り外す、
ことを特徴とするバケットのツース着脱工具。
【請求項２】
該突出部が本体部の伸びる方向の両側に一対備えられ、
一対の突出部の各々が本体部から異なった位置に該凹穴を備えている、
ことを特徴とする請求項１記載のバケットのツース着脱工具。
【請求項３】
異なった位置の該凹穴が異なった大きさに形成されている、
ことを特徴とする請求項２記載のバケットのツース着脱工具。
【請求項４】
該本体部および突出部が板状に一体に形成されている、
ことを特徴とする請求項１から３までのいずれかに記載のバケットのツース着脱工具。
【発明の詳細な説明】
【技術分野】
【０００１】
本発明は、バケットに着脱を自在に取り付けられる掘削歯であるツースの着脱工具に関する。
【背景技術】
【０００２】
本発明に係るツース着脱工具が用いられる、例えば油圧ショベルなどに装備される周知のバケットについて図４を参照して説明する。番号２で示すバケットは、複数個の掘削歯であるツース４を、バケット本体に一体的に隣接し突設された複数個のツース保持体であるアダプタ６それぞれに着脱を自在にして備えている（例えば、特許文献１参照）。
【０００３】
ツース４とアダプタ６の取り付けは、アダプタ６の先端部にツース４の凹部を被嵌し両者を貫通する貫通孔それぞれに保持ピン８を挿通することによって行なわれる。保持ピン８は、挿通の際にアダプタ６の貫通孔の端に備えられたリング状のリテーナに締り嵌め状態で通されその位置が固定される。
【０００４】
ツース４を取り付ける複数個のアダプタ６は、バケット本体の平板状の切刃１０の端に所定の間隔で溶接接合されている。複数組のアダプタ６およびツース４の貫通孔および保持ピン８は、実質上同一の軸線Ｘ上に配設されている。
【０００５】
バケット２にアダプタ６を介しツース４を着脱自在に取り付けることにより、バケット２を用いた作業に合わせて、損耗したツースの新品との交換、標準型・強化型など形状・大きさなどの異なる種々のツースの取り付け、などを適宜に行なうことができる。
【特許文献１】特開２０００−１０４２９３号公報
【発明の開示】
【発明が解決しようとする課題】
【０００６】
上述したとおりの形態の従来のバケットにはしかしながら、ツース４の着脱、すなわち保持ピン８の着脱に関連して、次のとおりの解決すべき問題がある。
【０００７】
ツース４をアダプタ６に着脱する場合、隣接するツース４とツース４の間隔が比較的狭いので、図５に示すように、保持ピン８の端にバール１２のような棒状工具を斜めに手で保持して当て、ハンマーなどによって斜め方向から打撃し、保持ピン８を貫通孔に挿入しあるいは貫通孔から抜き出す。したがって、保持ピン８の打ち込みが難しく、また軸線Ｘ方向に打撃できないので余計な力が必要である。
【０００８】
またツース取付部の構造上保持ピン８を打ち込み挿入する際には、保持ピン８を手でバール１２とともに保持する必要がある。したがって打撃作業がやりにくい。
【０００９】
軸線Ｘ上の複数個の貫通孔内を通すバーのような棒状工具を用いると、保持ピン８を軸線Ｘ方向に打撃することができる。しかしながらこのバーのような工具は長尺になり、工場設備には適するが、作業現場、ユーザなどでの使用には、長尺で保管しにくい、重くて使いにくいなど、不向きである。
【００１０】
本発明は上記事実に鑑みてなされたもので、その技術的課題は、バケットの複数個のアダプタとそれぞれに被嵌されたツースとの複数個の組み合わせそれぞれを、実質上同一の軸線で貫く貫通孔それぞれに保持ピンを挿脱し、ツースをアダプタに着脱を自在に取り付ける際の、保持ピンの取り付けおよび取り外し作業を容易に行なうことができ、また取扱いおよび保管が容易な、ツース着脱工具を提供することである。
【課題を解決するための手段】
【００１１】
本発明によれば上記技術的課題を解決するツース着脱工具として、バケットに隣接し突設された複数個のアダプタそれぞれにツースを被嵌し、アダプタとツースの複数組それぞれを実質上同一の軸線で貫く貫通孔の各々に保持ピンを挿脱しツースをアダプタに着脱自在に取り付けるバケットのツース着脱工具であって、隣接する一対のツースの上に差し渡される真直に伸びた本体部と、この本体部の伸びる方向の略中間から一対のツースの間に一体的に伸びた突出部と、この突出部の上記軸線に相当する位置に軸線方向に延びて開口した凹穴とを備え、ツース取付時には、保持ピンの一端部を凹穴に挿入して保持し、他端部を該貫通孔の端に位置付け、本体部の一端を打撃し保持ピンを貫通孔に挿入することにより、ツースをアダプタに取り付け、ツース取外時には、棒状の工具の一端部を凹穴に挿入して保持し、他端部を貫通孔に挿入された保持ピンの端に位置付け、本体部の一端を打撃し保持ピンを貫通孔から抜き出すことにより、ツースをアダプタから取り外す、ことを特徴とするバケットのツース着脱工具が提供される。
【００１２】
好適には、該突出部は本体部の伸びる方向の両側に一対備えられ、一対の突出部の各々は本体部から異なった位置に該凹穴を備えている。そして異なった位置の該凹穴は異なった大きさに形成されている。また該本体部および突出部は板状に一体に形成されている。
【発明の効果】
【００１３】
本発明に従って構成されたバケットのツース着脱工具は、一対のツースの上に差し渡される本体部と、本体部の略中間から一対のツースの間に伸びた突出部と、突出部に形成され保持ピンまたは棒状工具を保持する凹穴を備えている。
【００１４】
したがって保持ピンの着脱に応じて、突出部の凹穴に保持ピンまたは棒状工具を保持した本体部を、一対のツースの上に差し渡し、保持ピンまたは棒状工具の位置をツースとアダプタの貫通孔に合わせ、本体部の一端をハンマーなどによって打撃し、保持ピンを貫通孔に取り付けあるいは貫通孔から取り外すことにより、ツースの着脱作業を容易に行なうことができる。また、このツース着脱工具の大きさは一対のツースに差し渡される比較的小型に形成されるので取扱いおよび保管も容易である。
【発明を実施するための最良の形態】
【００１５】
以下、本発明に従って構成されたバケットのツース着脱工具について、好適実施形態を図示している添付図面を参照して、さらに詳細に説明する。
【００１６】
初めに、本発明に係るツース着脱工具が用いられるバケットの典型例である図４に示すバケット２における、アダプタ６とツース４の保持ピン８による取付状態についてその拡大断面図である図３を参照して説明する。
【００１７】
アダプタ６およびその先端部に被嵌されたツース４には軸線Ｘで両者を貫通する貫通孔Ｋが備えられている。アダプタ６の貫通孔Ｋの一端には座繰り部７が形成されリング状のリテーナ１４が設置されている。このリテーナ１４および貫通孔Ｋに保持ピン８を、リテーナ１４の側から矢印Ｚ示す方向に挿通することによりアダプタ６にツース４が取り付けられる。
【００１８】
リテーナ１４は、内径が保持ピン８の外径よりも小径に、ばね鋼によって形成され、内径を拡縮可能にするスリットが環状の一部に形成されている。保持ピン８には、軸線Ｘ方向のリテーナ１４設置位置に該当する個所に環状の溝１５が形成されている。保持ピン８とリテーナ１４はこの溝１５の部分において締り嵌め状態に嵌合され、保持ピン８の軸線Ｘ方向の位置が固定される。
【００１９】
図１を参照して、番号２０で示すツース着脱工具について説明する。図１は、図４に示すバケット２の隣接した一対のツース４とアダプタ６の組み合わせ、およびツース着脱工具２０を使用状態で示した図である。図１（ａ）は後に説明する棒状工具２２を取り付けての「ピン取外時」を、図１（ｂ）は保持ピン８を取り付けての「ピン取付時」を示している。
【００２０】
ツース着脱工具２０は、隣接した一対のツース４、４の上に差し渡される真直に伸びた本体部２０ａと、本体部２０ａの伸びる方向の略中間から一対のツース４、４の間に一体的に伸びた突出部２０ｂと、本体部２０ａのツース４へ載置した部分から寸法Ａ離れて、ツース４およびアダプタ６の貫通孔Ｋの軸線Ｘに相当する位置に、軸線Ｘ方向に延び開口した凹穴２４を備えている。凹穴２４は保持ピン８の一端部を保持することができる直径および深さに形成されている。
【００２１】
図１とともにツース着脱工具２０の詳細図である、２種類の棒状工具２２および２６を取り付けた状態の図２を参照して説明する。本体部２０ａには、その伸びる方向に直交する両側に前述の突出部２０ｂと、対向する対になった突出部２０ｃが備えられている。突出部２０ｂおよび２０ｃはそれぞれ、それぞれの本体部２０ａのツース４、４への載置部から異なった距離の所に凹穴を備えている。すなわち、寸法Ａに位置した前述の突出部２０ｂの凹穴２４に対し、突出部２０ｃには寸法Ａより短い寸法Ｂの位置に凹穴２４よりも小径で凹穴２８が形成されている。
【００２２】
油圧ショベルなどに装備されるバケット４（図４）は、通常アダプタ６に取り付けるツースとして「標準型」と「強化型」を備えている。「強化型」は「標準型」に比べてツースの外形寸法、保持ピンの太さ、長さなどが大きい。したがって、このように少なくとも２個の突出部２０ｂ、２０ｃと、それぞれに異なった大きさの凹穴２４，２８を備えることにより、１個のツース着脱工具２０で２種類の異なったツースを着脱することができる。
【００２３】
ツース着脱工具２０の本体部２０ａおよび突出部２０ｂ、２０ｃは、十字形状に厚さＴの鋼板を溶断し切り抜いて一体に形成されている。この十字形状の厚板状に鍛造によりあるいは鋳造により製作してもよい。厚さＴは大径の凹穴２４を形成できる厚さに規定されている。
【００２４】
棒状工具２２、２６は、鋼によって丸ピン状に実質的に類似の形状に形成され、ツースの種類により異なる大きさの保持ピンに合わせて、長さ、太さなどが規定されている。すなわち図１を参照して説明すると、棒状工具２２は、全長が保持ピン８と略同じ長さを有し凹穴２４に保持される基端部は保持ピン８と同じ直径に、他の部分は保持ピン８よりも細い径で形成されている。
【００２５】
棒状工具２２、２６は、バケットの複数個のツースそれぞれを止めている保持ピンを抜き出すときに順次に複数回用いられるので、凹穴２４、２６それぞれに脱落しないようにビス３０によって固定される。
【００２６】
上述したとおりのツース着脱工具２０を用いてのツースの着脱について、図１を参照して説明する。
【００２７】
ツースの取り付け（図１（ｂ））：
「ツース取付時」すなわち「ピン取付時」には、突出部２０ｂの凹穴２４に保持ピン８を挿入保持した本体部２０ａを一対のツース４、４の上に差し渡し、保持ピン８の位置をツース４とアダプタ６の貫通孔Ｋのリテーナ１４の側に合わせ、差し渡した本体部２０ａの一側（右側）の端をハンマーなどによって矢印Ｚ方向に打撃し、保持ピン８を貫通孔Ｋに挿入取り付けてツース４をアダプタ６に取り付ける。保持ピン８はリテーナ１４により締り嵌めされその位置が固定される。隣接するツース４についても同様の方法によって順次に取り付ける。
【００２８】
ツースの取り外し（図１（ａ））：
「ツース取外時」すなわち「ピン取外時」には、突出部２０ｂの凹穴２４に棒状工具２２を挿入しビス３０により固定保持した本体部２０ａを一対のツース４、４の上に差し渡し棒状工具２２の位置をツース４とアダプタ６の貫通孔Ｋに挿通されている保持ピン８のリテーナ１４側の端に合わせ、差し渡した本体部２０ａの一側（右側）の端をハンマーなどによって矢印Ｚ方向に打撃し、保持ピン８を貫通孔Ｋから抜き出しツース４をアダプタ６から取り外す。この打撃によって保持ピン８とリテーナ１４との締まり嵌めは解除される。隣接するツース４についても同様の方法によって順次取り外す。
【００２９】
上述したとおりのバケットのツース着脱工具２０の作用について説明する。
【００３０】
ツース着脱：
ツース着脱工具２０は、隣接するツース４とツース４の間に保持ピン８または棒状工具２２を保持した突出部２０ｂを位置付けるように形成されているので、隣接するツース４，４の間隔が狭い場合のツース着脱において保持ピンをその軸線Ｘ方向に打撃し抜き差しすることができる。したがって従来の保持ピン８を斜めに打ち込むことによる着脱作業が難しい問題、また余計な力が必要な問題を解決することができる。
【００３１】
保持ピンの保持：
ツース着脱工具２０は保持ピン８または棒状工具２２を保持する凹穴２４を備えている。したがって従来保持ピンの打ち込み挿入に際し手で保持しなければならなかった問題を解決することができる。
【００３２】
工具の取り扱い・保管：
ツース着脱工具２０は、その大きさが一対のツース４，４に差し渡される比較的小型に形成される。したがって、作業現場、ユーザなどでの取扱いおよび保管が容易である。
【００３３】
汎用：
ツース着脱工具２０は、保持ピンまたは棒状工具を保持する凹穴を備えた突出部を２個所２０ｂ、２０ｃ備え、かつ各々は本体部から異なった位置Ａ、Ｂに、また異なった大きさに形成されている。したがって、通常バケットに用意される「標準型」および大きさの異なる「強化型」のツースを、一つのツース着脱工具によって着脱することができ汎用性があり、２種類の工具を用意する必要がない。
【００３４】
コンパクト：
ツース着脱工具２０は、本体部２０ａおよび突出部２０ｂ、２０ｃが板状に一体に形成されている。したがって、コンパクトであり、厚鋼板を溶断して容易に製作することができ安価に提供することができる。
【００３５】
以上、本発明を実施例に基づいて詳細に説明したが、本発明は上記の実施例に限定されるものではなく本発明の範囲内においてさまざまな変形あるいは修正ができるものである。
【００３６】
例えば、本発明の実施例においてツース着脱工具２０は、突出部を本体部の両側に一対備えているが、着脱するツースが一種類だけの場合には、突出部を１個所だけに備えてもよい。
【図面の簡単な説明】
【００３７】
【図１】本発明に従って構成されたバケットのツース着脱工具を、バケットの一対の隣接したツースとアダプタの組み合わせとともに、使用状態で示した図（図４のＣ―Ｃ矢印方向に見た図）。図１（ａ）は「ピン取外時」を、図１（ｂ）は「ピン取付時」を示している。
【図２】棒状工具を取り付けた状態で示したツース着脱工具の（ａ）正面図および（ｂ）側面図。
【図３】アダプタとツースの保持ピンによる取付状態の拡大断面図（図４のＤ―Ｄ矢印方向に見た図）。
【図４】ツースを備えた典型的なバケットの斜視図。
【図５】従来のツース着脱方法の説明斜視図。
【符号の説明】
【００３８】
２：バケット
４：ツース
６：アダプタ
８：保持ピン
２０：ツース着脱工具
２０ａ：本体部
２０ｂ、２０ｃ：突出部
２２、２６：棒状工具
２４、２８：凹穴
Ｘ：軸線
【図１】
2006125083.tif 000003
【図２】
2006125083.tif 000004
【図３】
2006125083.tif 000005
【図４】
2006125083.tif 000006
【図５】
2006125083.tif 000007